(57)【要約】【課題】  農作物収穫時に農薬撒布の影響を抑え、複数農家と連携して各農家の農薬撒布と農作物収穫の調整を行い、円滑な農作物収穫を支援する圃場管理システムを提供する。【解決手段】  圃場管理システムは、農薬撒布情報を作付情報１１ａとして農家１００から受付ける農薬撒布受付手段１と、気象情報２１ａを気象予報機関２００から受付ける気象情報受付手段２と、収穫予定情報を前記作付情報１１ａとして農家１００から受付ける収穫予定受付手段３と、受付情報を記憶する記憶手段４と、この記憶手段４に基づいて農薬飛散圃場を演算する農薬飛散圃場演算手段５と、前記農薬飛散圃場に農作物が収穫予定の場合に、農薬撒布の制約条件を演算する制約条件演算手段６と、この演算により、農作物の収穫時期及び農薬撒布時期の許容範囲のうちいずれか又は双方を調整する調整手段７と、前記制約条件及び／又は前記許容範囲を近隣農家に通知する通知手段８とを備える。【選択図】    図１
2010086242.tif 000002
【特許請求の範囲】
【請求項１】
農薬撒布及び農作物収穫の対象となる複数の農家の圃場を一元管理する圃場管理システムにおいて、
撒布される農薬の特性に関する農薬特性及び農薬撒布予定日を少なくとも含む農薬撒布情報を受付ける農薬撒布受付手段と、
将来の気象情報を受付ける気象情報受付手段と、
前記農薬撒布情報及び前記気象情報に基づいて、撒布される農薬の飛散範囲に含まれる農薬飛散圃場を演算する農薬飛散圃場演算手段と、
前記農薬飛散圃場に収穫予定日の農作物の圃場が含まれる場合に、前記農薬撒布に関する制約条件を演算する制約条件演算手段とを備え、
前記演算された制約条件に基づいて農薬撒布もしくは農作物収穫を支援する
圃場管理システム。
【請求項２】
請求項１に記載の圃場管理システムにおいて、
前記収穫予定日を受付ける収穫予定受付手段を備える
圃場管理システム。
【請求項３】
請求項１に記載の圃場管理システムにおいて、
収穫予定の農作物の品種及び植付日を植付情報として受付ける植付情報受付手段と、
前記植付情報及び前記気象情報に基づいて、前記収穫予定の農作物の農作業予定に関して少なくとも前記収穫予定日を含む農作業予測情報を予測演算する農作業予測演算手段を備える
圃場管理システム。
【請求項４】
請求項１ないし請求項３に記載の圃場管理システムにおいて、
前記制約条件演算手段の演算結果に基づいて、農作物の収穫時期の許容範囲及び農薬撒布時期の許容範囲のうちいずれか又は双方を調整する調整手段を備える
圃場管理システム。
【請求項５】
請求項１ないし請求項４に記載の圃場管理システムにおいて、
前記制約条件演算手段が、前記農薬撒布に使用される農薬の種類及び／又は農業機械の種類に関する条件を制約条件とともに演算する
圃場管理システム。
【請求項６】
農薬撒布及び農作物収穫の対象となる複数の農家の圃場を一元管理する圃場管理方法において、
撒布される農薬の特性に関する農薬特性及び農薬撒布予定日を少なくとも含む農薬撒布情報を受付ける農薬撒布受付工程と、
将来の気象情報を受付ける気象情報受付工程と、
前記農薬撒布情報及び前記気象情報に基づいて、撒布される農薬の飛散範囲に含まれる農薬飛散圃場を演算する農薬飛散圃場演算工程と、
前記農薬飛散圃場に収穫予定日の農作物の圃場が含まれる場合に、前記農薬撒布に関する制約条件を演算する制約条件演算工程とを備え、
前記演算された制約条件に基づいて農薬撒布もしくは農作物収穫を支援する
圃場管理方法。
圃場管理方法。
【請求項７】
農薬撒布及び農作物収穫の対象となる複数の農家の圃場を一元管理するようにコンピュータを機能させる圃場管理プログラムにおいて、
撒布される農薬の特性に関する農薬特性及び農薬撒布予定日を少なくとも含む農薬撒布情報を受付ける農薬撒布受付手段、
将来の気象情報を受付ける気象情報受付手段、
前記農薬撒布情報及び前記気象情報に基づいて、撒布される農薬の飛散範囲に含まれる農薬飛散圃場を演算する農薬飛散圃場演算手段、
前記農薬飛散圃場に収穫予定日の農作物の圃場が含まれる場合に、前記農薬撒布に関する制約条件を演算する制約条件演算手段としてコンピュータを機能させ、
前記演算された制約条件に基づいて農薬撒布もしくは農作物収穫を支援する
圃場管理プログラム。
【発明の詳細な説明】
【技術分野】
【０００１】
本発明は、農作物の収穫時に農薬撒布の影響を抑える圃場管理システムに関して、特に複数の農家と連携して各農家の農薬撒布日及び収穫日に基づいて各農家の農薬撒布もしくは農作物収穫の調整を行い、複数の圃場における円滑な農作物収穫を支援する圃場管理システムの提供を目的とする。
【背景技術】
【０００２】
農作物を栽培する農家は、２００６年５月からの残留農薬規制の強化を受け、地域全体で安心安全な農作物を作る取組みを行っている。農作物を栽培する農家は、この残留農薬規制により収穫の１０日前から農作物への農薬付着を回避する必要があるため、近隣圃場の収穫状況や農薬撒布状況と連携する必要がある。
【０００３】
従来の圃場管理システムは、ネットワークを介して農家からの農薬施用の申し込みと農家情報とを受け付け、その農家情報を顧客データベースに登録し、このネットワークを介して気象情報などを取り込み、顧客データベースに登録された農家情報と気象情報とに基づいて農薬の施用スケジュールを決定するものがある（例えば、特許文献１参照）。また、従来の圃場管理システムは、各種情報源からのデータをインターネット通信網を通して収集するＷＥＢサーバと、このＷＥＢサーバにアクセス可能な農家のインターネット端末とからなり、このＷＥＢサーバに集められた膨大な情報や緊急危機的情報を各農家の属性により、必要な情報を、必要とされる農家の携帯端末へ情報提供するものがある（例えば、特許文献２参照）。
【特許文献１】特開２００３−２４２２００号公報
【特許文献２】特開２００３−１１５９５０号公報
【発明の開示】
【発明が解決しようとする課題】
【０００４】
しかし、従来の圃場管理システムは、気象情報を考慮して農家に対する農薬撒布スケジュールを決定するものがあるが、このスケジュール決定には近隣圃場の農家への通知等の配慮がない。このため、この従来の圃場管理システムは、決定された農薬撒布スケジュールによる農薬撒布時に、近隣圃場の農家が農作物を収穫している可能性があり、収穫される農作物へ農薬付着の虞があるいう課題を有する。
【０００５】
また、従来の圃場管理システムは、ＷＥＢサーバから農薬撒布時の農薬飛散範囲を近隣圃場の農家に通知するものがあるが、この通知により現時点での農薬飛散範囲及び収穫状況を判断できるが、農薬飛散及び収穫の時期的な判断及び農薬撒布の他圃場に対する影響範囲を判断できないために、撒布時に近隣農家が農作物の収穫を行う可能性があり、収穫される農作物への農薬付着の虞があるいう課題を有する。
【０００６】
本発明は前記課題を解消するためになされたもので、複数の農家と連携して各農家の農薬撒布日及び収穫日に基づいて農薬撒布もしくは農作物収穫の調整を行い、複数の圃場における円滑な農作物収穫及び農薬撒布を支援する圃場管理システムの提供を目的とする。
【課題を解決するための手段】
【０００７】
本願に開示する圃場管理システムは、農薬撒布及び農作物収穫の対象となる複数の農家の圃場を一元管理する圃場管理システムにおいて、少なくとも撒布される農薬の特性に関する農薬特性及び農薬撒布予定日を含む農薬撒布情報を受付ける農薬撒布受付手段と、所定の日時における気象情報を受付ける気象情報受付手段と、前記農薬撒布情報及び前記気象情報に基づいて、撒布される農薬の飛散範囲に含まれる農薬飛散圃場を演算する農薬飛散圃場演算手段と、前記農薬飛散圃場に農作物の収穫予定日の圃場が含まれる場合に、前記農薬撒布に関する制約条件を演算する制約条件演算手段とを備え、前記演算された制約条件に基づいて農薬撒布もしくは農作物収穫を支援するものである。このように、本願に開示する圃場管理システムは、前記農薬飛散圃場及び農作物の収穫予定の圃場を同時に考慮して農薬撒布に関する制約条件を導出することから、農薬付着を回避すべき収穫前の農作物に対する農薬の付着を防止することとなり、他の近隣農家で収穫される農作物に悪影響を及ぼさずに農薬を撒布することができ、また残留農薬を考慮して農作物を収穫することができる。
【０００８】
また、本願に開示する圃場管理システムは必要に応じて、前記収穫予定日を受付ける収穫予定受付手段を備えるものである。このように、本願に開示する圃場管理システムは、収穫予定受付手段が前記収穫予定日を受付けることから、農作物の実際の収穫時期に基づいて収穫時期を管理することとなり、他の近隣農家で収穫される農作物に悪影響を及ぼさずに農薬を撒布することができ、また残留農薬を考慮して農作物を収穫することができる。
【０００９】
また、本願に開示する圃場管理システムは必要に応じて、収穫予定の農作物の品種及び植付日を植付情報として受付ける植付情報受付手段と、前記植付情報及び前記気象情報に基づいて、前記収穫予定の農作物の少なくとも前記収穫予定日を含む前記農家の農作業予定に関する農作業予測情報を予測演算する農作業予測演算手段を備えるものである。このように、本願に開示する圃場管理システムは、前記植付情報及び前記気象情報に基づいて、農作業予測演算手段が少なくとも前記収穫予定日を予測演算することから、客観的に予測された前記収穫予定日を考慮して農薬を撒布できることとなり、近隣農家の農作物の収穫予定を考慮した農薬撒布及び残留農薬を考慮した農作物の収穫をより正確に実施することができる。
【００１０】
また、本願に開示する圃場管理システムは必要に応じて、前記制約条件演算手段の演算結果に基づいて、農作物の収穫時期の許容範囲及び農薬撒布時期の許容範囲のうちいずれか又は双方を調整する調整手段を備えるものである。このように、本願に開示する圃場管理システムは、農作物の収穫時期及び農薬撒布時期の許容範囲を農家の主観ではなく客観的な演算により導出して調整することから、隣接する圃場のみならず圃場全体の広域な範囲を統合して管理することとなり、域内の圃場における農薬撒布及び農作物の収穫を相互に考慮して、近隣農家の農作物の収穫予定を考慮した農薬撒布及び残留農薬を考慮した農作物の収穫を的確にスケジューリングすることができる。
【００１１】
また、本願に開示する圃場管理システムは必要に応じて、前記制約条件演算手段が、前記農薬撒布に使用される農薬の種類及び／又は農業機械の種類に関する条件を制約条件とともに演算するものである。このように、本願に開示する圃場管理システムは、農薬撒布に使用される農薬の種類及び／又は農業機械の種類が前記制約条件に含まれることから、前記制約条件を農薬の種類や撒布方法に応じて導出することにより近隣農家間の収穫及び農薬撒布の日程調整をより正確かつ客観的に実施することとなり、近隣農家の農作物の収穫予定を考慮した農薬撒布及び残留農薬を考慮した農作物の収穫をより正確に実施することができる。
【発明を実施するための最良の形態】
【００１２】
（本発明の第１の実施形態）
以下、本発明の第１の実施形態に係る圃場管理システムを、図１から図６に基づいて説明する。この図１は本発明の第１の実施形態に係る圃場管理システムの構成を示すブロック図、図３は図１に記載された圃場管理システムのデータレイアウト及びデータ例、図４は図１に記載された圃場管理システムのＧＩＳ画面表示例、図５は図１に記載された圃場管理システムのフローチャート、図６は図１に記載された圃場管理システムのメール通知画面レイアウト例を示す。
【００１３】
図１において、本実施形態に係る圃場管理システムは、撒布される農薬の特性に関する農薬特性及び農薬撒布予定日を少なくとも含む農薬撒布情報を農家１００から受付ける農薬撒布受付手段１と、将来の気象情報を気象予報機関２００から受付ける気象情報受付手段２と、気象情報を記憶する気象情報記憶部２１と、収穫予定日を含む収穫予定情報を農家１００から受付ける収穫予定受付手段３と、前記農薬撒布情報及び収穫予定情報を記憶する作付情報記憶部１１と、農薬に関する情報を記憶する農薬情報記憶部５１と、圃場に関する情報を記憶する圃場情報記憶部５２と、この作付情報記憶部１１、気象情報記憶部２１、農薬情報記憶部５１及び圃場情報記憶部５２に基づいて農薬の飛散範囲に含まれる農薬飛散圃場を演算する農薬飛散圃場演算手段５と、前記農薬飛散圃場に収穫予定日の農作物の圃場が含まれる場合に、前記農薬撒布に関する制約条件を演算する制約条件演算手段６と、前記制約条件演算手段の演算結果に基づいて、農作物の収穫時期の許容範囲及び農薬撒布時期の許容範囲のうちいずれか又は双方を調整する調整手段７と、前記制約条件及び／又は前記許容範囲を近隣の農家に通知する通知手段８とを備える。
【００１４】
前記作付情報記憶部１１は、図２（ａ）に示すように、作付情報１１ａを備える。また、前記気象情報記憶部２１は、同図（ｂ）に示すように、気象情報２１ａを備える。また、前記農薬情報記憶部５１は、同図（ｃ）に示すように、農薬マスタ情報５１ａを備える。また、前記圃場情報記憶部５２は、同図（ｄ）に示すように、ＩＤマスタ情報５２ａ及び圃場マスタ情報５２ｂを備える。
【００１５】
前記作付情報１１ａは、図３（ａ）に示すように、各農家１００の所有する圃場を識別する固有の識別番号を示すＩＤ項目と、農作物の品種を示す品種項目と、農作物の収穫を一意に識別する収穫番号項目と、各圃場に配せられた圃場番号を示す圃場番号項目と、この圃場番号における圃場の四隅の経度及び緯度を示す経度／緯度項目と、農作物の収穫予定日を示す収穫予定日項目と、確定された収穫予定日を示す収穫確定日と、撒布する農薬の農薬名称を示す農薬名項目と、農薬の形状、例えば粉状、粒状、液状を示す農薬形状項目と、撒布日を示す撒布日項目とを備える。また、前記作付情報１１ａは、前記ＩＤ項目と、前記品種項目と、前記収穫番号項目とをキー項目とすることができる。
【００１６】
また、前記気象情報２１ａは、同図（ｂ）に示すように、経度及び緯度を示す経度／緯度項目と、日付を示す日付項目と、時刻を示す時刻項目と、風向を示す風向項目と、風速を示す風速項目とを備える。また、前記気象情報２１ａは、前記経度／緯度項目と、前記日付項目と、前記時刻項目とをキー項目とすることができる。
【００１７】
また、前記ＩＤマスタ情報５２Ａは、同図（ｃ）に示すように、前記ＩＤ項目と、暗証番号を示すパスワード項目と、メールアドレスを示すメールアドレス項目と、各圃場に配せられた圃場番号項目とを備える。また、前記ＩＤマスタ情報５２Ａは、前記ＩＤ項目をキー項目とすることができる。
【００１８】
また、前記圃場マスタ情報５２ｂは、同図（ｄ）に示すように、前記圃場番号項目と、前記ＩＤ項目と、左上経度／緯度項目と、右上経度／緯度項目と、左下経度／緯度項目と、右下経度／緯度項目とを備える。また、前記圃場マスタ情報５２ｂは、前記圃場番号項目をキー項目とすることができる。
【００１９】
また、前記農薬マスタ情報５１ａは、同図（ｅ）に示すように、農薬の形状を示す農薬形状項目と、風速を示す風速項目と、農薬の粒子径を示す粒子径項目と、農薬の最高飛散距離を示す最高飛散距離項目とを備える。また、前記農薬マスタ情報５１ａは、前記農薬形状項目と、前記風速項目と、前記粒子径項目とをキー項目とすることができる。
【００２０】
以下、前記構成に基づく本実施形態の圃場管理システムの動作について説明する。本圃場管理システムは、図４（ａ）に示すように、各農家の所有する圃場を地図情報として表示して管理するＧｅｏｇｒａｐｈｉｃ Ｉｎｆｏｒｍａｔｉｏｎ Ｓｙｓｔｅｍ；地理情報システム（以下、ＧＩＳと略記）を用いる。また、本実施形態の圃場管理システムは、サーバーコンピュータとして動作し、前記農家１００の所有するパソコン端末及び携帯電話と通信回線により電気通信可能に設置される。
【００２１】
まず、前記収穫予定受付手段３は、図５に示すように、農作物の収穫前に農家１００から収穫予定を受付ける（Ｓ１）。この受付は、原則として収穫日の２週間前までに入力する運用を行う。また、この収穫予定は、この農家１００の前記ＩＤと、農作物の品種と、農作物を収穫する圃場の経度及び緯度と、収穫予定日時と、収穫確定時には収穫確定日を含む。また、前記作付情報記憶部１１は、この入力された収穫予定を前記作付情報１１ａに記憶する。
【００２２】
また、前記農薬撒布受付手段１は、農薬の撒布前に農家１００から農薬撒布予定を受付ける（Ｓ２）。この受付は、原則として農薬撒布日の前日までに入力する運用を行う。また、この農薬撒布予定は、この農家１００の前記ＩＤと、農薬の名称及び形状と、農薬を撒布する圃場の経度及び緯度と、農薬の撒布日時を含む。また、前記作付情報記憶部１１は、この入力された農薬撒布予定を前記作付情報１１ａに記憶する。
【００２３】
前記農薬飛散圃場演算手段５は、前記農薬撒布予定の農家１００から入力された経度及び緯度と、この農家１００の前記ＩＤに基づいて、圃場番号と前記ＧＩＳ表示上の四隅の経度及び緯度を演算する（Ｓ３）。前記農薬飛散圃場演算手段５は、この演算により、例えば図４（ａ）に示すように、撒布農家Ａの圃上を、地点Ｐ１、地点Ｐ２、地点Ｐ３、地点Ｐ４を四隅とする圃場と判断する。
【００２４】
前記農薬飛散圃場演算手段５は、この農薬撒布圃場の位置と撒布予定日時に基づいて前記気象情報２１ａから風向風速に関する予測データを演算する（Ｓ４）。前記農薬飛散圃場演算手段５は、図３（ｂ）に示すように、例えば、経度１３０．２度、緯度３１．４度の地点で２００８年４月２９日の１３時に農薬が撒布される場合には、南西方向の風速３ｍ／秒の風を前記予測データとして演算する。また、前記気象情報受付手段２は、前記気象予報機関２００、例えば気象庁から定期的に気象予測データを受付けて前記気象情報２１ａに記憶することができる。
【００２５】
また、前記農薬飛散圃場演算手段５は、前記風向風速の予測データと、前記農薬マスタ情報５１ａからの農薬データである使用農薬の形状及び撒布粒子径とに基づいて農薬の飛散距離を演算する（Ｓ５）。前記農薬飛散圃場演算手段５は、図３（ｅ）に示すように、前記農薬マスタ情報５１ａに基づいて、例えば、農薬形状が液状の農薬で風速が３ｍの場合には、この最高飛散距離を３０ｍと演算する。
【００２６】
この最高飛散距離の情報は、前記農薬マスタ情報５１ａとしてマスタ化されているため、容易にメンテナンスすることが可能である。また、この最高飛散距離の情報は、安全面を考慮して実際の飛散距離よりも長めに登録されることも可能である。
【００２７】
前記農薬飛散圃場演算手段５は、前記農薬撒布圃場の四隅である地点Ｐ１、地点Ｐ２、地点Ｐ３、地点Ｐ４を基点に、農薬撒布の影響エリアを演算する（Ｓ６）。前記農薬飛散圃場演算手段５は、図４（ｂ）で示すように、南西方向の風速３ｍ／秒の風における農薬撒布の影響エリアとして、地点Ｑ１、地点Ｑ２、地点Ｑ３、地点Ｑ４を四隅とするエリアを演算することができる。
【００２８】
この演算方法に関して、前記農薬飛散圃場演算手段５は、北東方向の農薬飛散について、北東方向が風下となることから、農薬が飛散する地点として地点Ｐ１から北東方向に最高飛散距離である３０ｍ離れた地点Ｑ１を演算する。また、前記農薬飛散圃場演算手段５は、南東方向の農薬飛散について、風向に対して垂直方向の農薬飛散方向となることから、農薬が飛散する地点として地点Ｐ２から南東方向に最高飛散距離の半分である１５ｍ離れた地点Ｑ２を演算する。
【００２９】
また、前記農薬飛散圃場演算手段５は、南西方向の農薬飛散について、南西方向が風上となることから、農薬が飛散する地点として地点Ｐ３から南西方向に風速０ｍ／秒における最高飛散距離分離れた地点Ｑ３を演算する。この場合、前記農薬飛散圃場演算手段５は、図３（ｅ）に示すように、風速０ｍ／秒における液状の農薬形状の最高飛散距離を５ｍと判断することができる。
【００３０】
また、前記農薬飛散圃場演算手段５は、北西方向の農薬飛散について、風向に対して垂直方向の農薬飛散方向となることから、農薬が飛散する地点として地点Ｐ４から北西方向に最高飛散距離分の半分である１５ｍ離れた地点Ｑ４を演算する。
【００３１】
前記調整手段７は、前記作付情報１１ａを読込み、前記農薬撒布の影響エリアの圃場における収穫に関して収穫日から１４日前の日付を演算する（Ｓ７）。前記調整手段７は、この演算に基づいて、前記農薬撒布日が前記影響エリアの圃場における農作物の収穫日から１４日前以前かを判断する（Ｓ８）。
【００３２】
前記通知手段８は、この調整手段７により前記農作物の収穫日の１４日前以前に農薬撒布されると判断された場合には、農薬撒布予定の農家１００へ農薬撒布可能の旨の通知メールを配信する（Ｓ９）。また、前記通知手段８は、前記影響エリアの圃場を所有する農家１００へこの農薬撒布実施の旨の農薬警告メールを配信する（Ｓ９）。
【００３３】
また、前記通知手段８は、この調整手段７により前記農作物の収穫日の１４日前以降に農薬撒布されると判断された場合には、農薬撒布予定の農家１００へ収穫前農家がある旨、撒布不可の旨の撒布禁止メールを配信する（Ｓ１０）。
【００３４】
前記通知手段８は、図６（ａ）に示すように、前記警告メールの画面案内により、近隣圃場での農薬撒布の旨を収穫予定の農家１００へ通知することができる。また、前記通知手段８は、同図（ｂ）に示すように、前記撒布禁止メールの画面案内により、近隣圃場での農作物の収穫の旨を農薬撒布予定の農家１００へ通知することができる。
【００３５】
また、前記通知手段８は、同図（ａ）及び（ｂ）に示すように、前記メール画面に前記ＧＩＳを表示するインターネットホームページのＵＲＬを備えることもできる。前記通知手段８は、前記メール画面にこのＵＲＬを備えることにより、ＵＲＬへアクセスした農家１００に前記ＧＩＳによる視覚的な地図情報を提供することとなり、この農家１００に農薬撒布及び収穫の状況把握を促すことができる。この図では、農家Ａの農薬撒布により農家Ｂが前記影響エリアに含まれることを示す。
【００３６】
また、本実施形態に係る農薬撒布システムでは、前記収穫予定受付手段３が前記収穫予定日を前記農家１００から受付けるようにしたが、前記農家１００から受付けることなく、例えばシステム内部で設定された日にちをこの収穫予定日として使用することも可能である。また、本実施形態に係る農薬撒布システムでは、前記通知手段８が該当する農家１００に前記制約条件を通知するようにしたが、この通知が無くても、例えば農家１００が前記ＧＩＳを自ら閲覧することで確認することも可能である。
【００３７】
また、本実施形態に係る農薬撒布システムは、農薬マスタ情報５１ａにて前記最高飛散距離を確定するために、農薬形状と、風速と、粒子径とを条件としたが、農薬の種類である農薬形状及び粒子径が無い場合でも風速に基づいてマスタ化することも可能である。また、本実施形態に係る農薬撒布システムは、この農薬マスタ情報５１ａに農機具に関する情報、例えば、農機撒布装置のノズル径を条件として追加することも可能である。この農機具に関する情報を追加することにより、前記農薬飛散圃場演算手段５の演算により農薬を撒布不可とされた圃場においても、条件を満たすノズル径を有する農機具であれば農薬を撒布できる可能性もあり、隣接する農家間での農作業における効率の良い連携を図ることができる。
【００３８】
このように、前記調整手段７が各農家１００の農薬撒布及び収穫の時期及び方法を調整することから、収穫される農作物に収穫の１４日前からの農薬付着を防止することとなり、各農家１００は周囲の農家１００と連携して前記残留農薬規制への対応を手間無く確実に行うことができる。
【００３９】
また、本実施形態に係る農薬撒布システムを構成する各機器のハードウエア構成は、ＣＰＵ、メモリ、大容量記憶装置、ディスプレイ、通信装置、キーボード、マウス、入力手段及び上記各部を接続するバスからなる。なお、本農薬撒布システムにおける各機器はいずれも同一のハードウエア構成を有するものとする。
【００４０】
（本発明の第２の実施形態）
以下、本発明の第２の実施形態に係る圃場管理システムを、図７及び図１０に基づいて説明する。この図７は本発明の第１の実施形態に係る圃場管理システムの構成を示すブロック図、図８は図７に記載された圃場管理システムの本発明の第２の実施形態に係る圃場管理システムの品種情報記憶部に記憶される情報及びそのデータレイアウト例、図９は図７に記載された圃場管理システムのフローチャート、図１０は図７に記載された圃場管理システムの予測演算結果を示す説明図を示す。
【００４１】
図７において、本実施形態に係る圃場管理システムは、前記第１の実施形態と同様に、前記農薬撒布受付手段１と、前記気象情報受付手段２と、前記気象情報記憶部２１と、前記収穫予定受付手段３と、前記作付情報記憶部１１と、前記農薬情報記憶部５１と、前記圃場情報記憶部５２と、前記農薬飛散圃場演算手段５と、前記制約条件演算手段６と、前記調整手段７と、前記通知手段８とを備え、さらに、収穫予定の農作物の品種及び植付日を植付情報として受付ける植付情報受付手段９と、前記植付情報及び前記気象情報２１ａに基づいて、前記収穫予定の農作物の農作業予定に関して少なくとも前記収穫予定日を含む農作業予測情報を予測演算する農作業予測演算手段１０と、農作物の品種に関する情報を記憶する品種情報記憶部９１とを追加で備え、前記農家１００から受付けた前記植付情報に基づいて農作業を予測し、この予測に基づいて前記第１の実施形態と同様に各農家１００の間での農薬撒布及び収穫の調整を図るものである。
【００４２】
前記品種情報記憶部９１は、図８（ａ）に示すように、品種マスタ情報９１ａを備える。この品種マスタ情報９１ａは、同図（ｂ）に示すように、農作物を識別する農作物番号項目と、農作物の名称である農作物名項目と、植付日から農薬撒布までの標準的な期間を示す生長期間項目と、農薬撒布の標準的な期間を示す農薬撒布期間項目と、植付日から収穫までの標準的な期間を示す収穫期間項目と、日照時間の農作物の生長への影響度を示す日照影響係数項目とを備える。
【００４３】
以下、前記構成に基づく本実施形態の圃場管理システムの動作について前記第１の実施形態から変更された箇所を説明する。本圃場管理システムは、図９に示すように、前記第１の実施形態で記載した図５の前記Ｓ１及び前記Ｓ２の農家１００からの受付を新たに後述のＳ１−１及びＳ２−１として代替するものである。
【００４４】
まず、植付情報受付手段９は、図９に示すように、農作物を植付ける農家１００からこの農作物の品種及び植付日を受付ける（Ｓ１−１）。前記農作業予測演算手段１０は、この植付日、前記気象情報２１ａ及び品種マスタ情報９１ａに基づいて農作物の生長期間を予測し、農薬撒布時期及び収穫時期を予測演算する（Ｓ２−２）。また、前記作付情報記憶部１１は、この予測演算された農薬撒布時期及び収穫時期を前記作付情報１１ａに記憶する。この予測演算以降の処理は、前記第１の実施形態に記載した図５の前記Ｓ３以降と同様の処理を実施する。
【００４５】
前記予測演算により、前記農作業予測演算手段１０は、例えば、図１０に示すように、農家Ａ及び農家Ｂの植付日から農薬撒布及び収穫の時期を予測演算することができる。前記調整手段７は、この予測演算の結果を用いて、収穫日及び農薬撒布日の調整を行うことができる。このように、前記農作業予測演算手段１０が収穫日及び農薬撒布日を予測するため、農家１００から収穫日及び農薬撒布日の予定を受付ける手間を省き、農家１００の農薬撒布及び収穫の日程調整をより早い時期により正確に行うことができる。また、前記農薬撒布受付手段１は、前記予測演算の結果を受けて変更された農薬撒布の予定を農家１００から都度受付けることができる。
【００４６】
また、前記予測演算の対象となる農家を農家Ａ、農家Ｂ、農家Ｃ、、、と容易にスケールアップすることができる。このスケールアップにより、隣接する圃場のみならず圃場全体の広域な範囲を統合して管理することとなり、域内の圃場における農薬撒布及び農作物の収穫を相互に考慮して、近隣農家の農作物の収穫予定を考慮した農薬撒布及び残留農薬を考慮した農作物の収穫を的確にスケジューリングすることができる。
【００４７】
［付記］  以上の実施例を含む実施形態に関し、更に以下の付記を開示する。
（付記１）農薬撒布及び農作物収穫の対象となる複数の農家の圃場を一元管理する圃場管理システムにおいて、撒布される農薬の特性に関する農薬特性及び農薬撒布予定日を少なくとも含む農薬撒布情報を受付ける農薬撒布受付手段と、将来の気象情報を受付ける気象情報受付手段と、前記農薬撒布情報及び前記気象情報に基づいて、撒布される農薬の飛散範囲に含まれる農薬飛散圃場を演算する農薬飛散圃場演算手段と、前記農薬飛散圃場に収穫予定日の農作物の圃場が含まれる場合に、前記農薬撒布に関する制約条件を演算する制約条件演算手段とを備え、前記演算された制約条件に基づいて農薬撒布もしくは農作物収穫を支援する圃場管理システム。
【００４８】
（付記２）前記収穫予定日を受付ける収穫予定受付手段を備える付記１に記載の圃場管理システム。
【００４９】
（付記３）収穫予定の農作物の品種及び植付日を植付情報として受付ける植付情報受付手段と、前記植付情報及び前記気象情報に基づいて、前記収穫予定の農作物の農作業予定に関して少なくとも前記収穫予定日を含む農作業予測情報を予測演算する農作業予測演算手段を備える付記１に記載の圃場管理システム。
【００５０】
（付記４）前記制約条件演算手段の演算結果に基づいて、農作物の収穫時期の許容範囲及び農薬撒布時期の許容範囲のうちいずれか又は双方を調整する調整手段を備える付記１ないし付記３に記載の圃場管理システム。
【００５１】
（付記５）前記制約条件演算手段が、前記農薬撒布に使用される農薬の種類及び／又は農業機械の種類に関する条件を制約条件とともに演算する付記１ないし付記４に記載の圃場管理システム。
【００５２】
（付記６）前記制約条件演算手段の演算結果に基づいて、前記制約条件を近隣の前記農家に通知する制約条件通知手段を備える付記１ないし付記５に記載の圃場管理システム。
【００５３】
（付記７）農薬撒布及び農作物収穫の対象となる複数の農家の圃場を一元管理する圃場管理方法において、撒布される農薬の特性に関する農薬特性及び農薬撒布予定日を少なくとも含む農薬撒布情報を受付ける農薬撒布受付工程と、将来の気象情報を受付ける気象情報受付工程と、前記農薬撒布情報及び前記気象情報に基づいて、撒布される農薬の飛散範囲に含まれる農薬飛散圃場を演算する農薬飛散圃場演算工程と、前記農薬飛散圃場に収穫予定日の農作物の圃場が含まれる場合に、前記農薬撒布に関する制約条件を演算する制約条件演算工程とを備え、前記演算された制約条件に基づいて農薬撒布もしくは農作物収穫を支援する圃場管理方法。
【００５４】
（付記８）前記収穫予定日を受付ける収穫予定受付工程を備える付記７に記載の圃場管理方法。
【００５５】
（付記９）収穫予定の農作物の品種及び植付日を植付情報として受付ける植付情報受付工程と、前記植付情報及び前記気象情報に基づいて、前記収穫予定の農作物の農作業予定に関して少なくとも前記収穫予定日を含む農作業予測情報を予測演算する農作業予測演算工程を備える付記７に記載の圃場管理方法。
【００５６】
（付記１０）前記制約条件演算工程の演算結果に基づいて、農作物の収穫時期の許容範囲及び農薬撒布時期の許容範囲のうちいずれか又は双方を調整する調整工程を備える付記７ないし付記９に記載の圃場管理方法。
【００５７】
（付記１１）前記制約条件演算工程が、前記農薬撒布に使用される農薬の種類及び／又は農業機械の種類に関する条件を制約条件とともに演算する付記７ないし付記１０に記載の圃場管理方法。
【００５８】
（付記１２）前記制約条件演算工程の演算結果に基づいて、前記制約条件を近隣の前記農家に通知する制約条件通知工程を備える付記７ないし付記１１に記載の圃場管理方法。
【００５９】
（付記１３）農薬撒布及び農作物収穫の対象となる複数の農家の圃場を一元管理するようにコンピュータを機能させる圃場管理プログラムにおいて、撒布される農薬の特性に関する農薬特性及び農薬撒布予定日を少なくとも含む農薬撒布情報を受付ける農薬撒布受付手段、将来の気象情報を受付ける気象情報受付手段、前記農薬撒布情報及び前記気象情報に基づいて、撒布される農薬の飛散範囲に含まれる農薬飛散圃場を演算する農薬飛散圃場演算手段、前記農薬飛散圃場に収穫予定日の農作物の圃場が含まれる場合に、前記農薬撒布に関する制約条件を演算する制約条件演算手段としてコンピュータを機能させ、前記演算された制約条件に基づいて農薬撒布もしくは農作物収穫を支援する圃場管理プログラム。
【００６０】
（付記１４）前記収穫予定日を受付ける収穫予定受付手段を備える付記１３に記載の圃場管理プログラム。
【００６１】
（付記１５）収穫予定の農作物の品種及び植付日を植付情報として受付ける植付情報受付手段、前記植付情報及び前記気象情報に基づいて、前記収穫予定の農作物の農作業予定に関して少なくとも前記収穫予定日を含む農作業予測情報を予測演算する農作業予測演算手段を備える付記１３に記載の圃場管理プログラム。
【００６２】
（付記１６）前記制約条件演算手段の演算結果に基づいて、農作物の収穫時期の許容範囲及び農薬撒布時期の許容範囲のうちいずれか又は双方を調整する調整手段を備える付記１３ないし付記１５に記載の圃場管理プログラム。
【００６３】
（付記１７）前記制約条件演算手段が、前記農薬撒布に使用される農薬の種類及び／又は農業機械の種類に関する条件を制約条件とともに演算する付記１３ないし付記１６に記載の圃場管理プログラム。
【００６４】
（付記１８）前記制約条件演算手段の演算結果に基づいて、前記制約条件を近隣の前記農家に通知する制約条件通知手段を備える付記１３ないし付記１７に記載の圃場管理プログラム。
【図面の簡単な説明】
【００６５】
【図１】本発明の第１の実施形態に係る圃場管理システムの構成を示すブロック図
【図２】本発明の第１の実施形態に係る圃場管理システムの各記憶部に記憶される情報を示す説明図
【図３】本発明の第１の実施形態に係る圃場管理システムのデータレイアウト及びデータ例
【図４】本発明の第１の実施形態に係る圃場管理システムのＧＩＳ画面表示例
【図５】本発明の第１の実施形態に係る圃場管理システムのフローチャート
【図６】本発明の第１の実施形態に係る圃場管理システムのメール通知画面レイアウト例
【図７】本発明の第２の実施形態に係る圃場管理システムの構成を示すブロック図
【図８】本発明の第２の実施形態に係る圃場管理システムの品種情報記憶部に記憶される情報及びそのデータレイアウト例
【図９】本発明の第２の実施形態に係る圃場管理システムのフローチャート
【図１０】本発明の第２の実施形態に係る圃場管理システムの予測演算結果を示す説明図
【符号の説明】
【００６６】
１  農薬撒布受付手段
１１  作付情報記憶部
１１ａ  作付情報
２  気象情報受付手段
２１  気象情報記憶部
２１ａ  気象情報
３  収穫予定受付手段
５  農薬飛散圃場演算手段
５１  農薬情報記憶部
５１ａ  農薬マスタ情報
５２  圃場情報記憶部
５２ａ  ＩＤマスタ情報
５２ｂ  圃場マスタ情報
６ 制約条件演算手段
７  調整手段
８  通知手段
９  植付情報受付手段
９１  品種情報記憶部
９１ａ 品種マスタ情報
１０ 農作業予測演算手段
１００  農家
２００  気象予報機関
【図１】
2010086242.tif 000003
【図２】
2010086242.tif 000004
【図３】
2010086242.tif 000005
【図５】
2010086242.tif 000006
【図７】
2010086242.tif 000007
【図８】
2010086242.tif 000008
【図９】
2010086242.tif 000009
【図１０】
2010086242.tif 000010
【図４】
2010086242.tif 000011
【図６】
2010086242.tif 000012